(57)【要約】      （修正有）【課題】容器に収容されている装飾物を立体的にかつ周囲の物から際立たせて照明できるようにする照明装置付き容器を提供する。【解決手段】照明装置付き容器１は、立体形状の装飾物１００が収容される容器本体１０と、容器本体１０の上部に設けられ、装飾物１００を上方から照明する照明装置２０とを備えている。容器本体１０の正面側が透明であり、容器本体１０の底部には光透過抑制部材からなる底板１１が設けられている。【選択図】図１
0003222671.tif 000002
【実用新案登録請求の範囲】
【請求項１】
立体形状の装飾物が収容される容器本体と、該容器本体の上部に設けられ、前記装飾物を上方から照明する照明装置とを備え、
前記容器本体の正面側が透明であり、
前記容器本体の上部または底部には光の透過を抑制する光透過抑制部材が設けられていることを特徴とする照明装置付き容器。
【請求項２】
請求項１に記載の照明装置付き容器において、
前記容器本体は、底板を備え、
前記底板は、木製の光透過抑制部材からなることを特徴とする照明装置付き容器。
【請求項３】
請求項２に記載の照明装置付き容器において、
前記容器本体は、前記底板の両側部から上方へ延びる両側板と、前記底板の背面部から上方へ延びる背板と、前記容器本体の上部に配設される天板と、前記容器本体の正面側に配置される透明な板材とを備え、
前記両側板、前記背板及び前記天板は、木製の光透過抑制部材からなることを特徴とする照明装置付き容器。
【請求項４】
請求項３に記載の照明装置付き容器において、
前記天板には、前記照明装置が取り付けられていることを特徴とする照明装置付き容器。
【請求項５】
請求項３または４に記載の照明装置付き容器において、
前記透明な板材は、枠部材により保持され、
前記容器本体は、前記枠部材を一方の前記側板に対して回動自在に支持するヒンジを備えていることを特徴とする照明装置付き容器。
【請求項６】
請求項１に記載の照明装置付き容器において、
前記容器は、前記容器本体が載置される載置台を備え、
前記容器本体は、正面側及び底部が透明な材料からなり、
前記光透過抑制部材は、前記載置台であることを特徴とする照明装置付き容器。
【請求項７】
請求項６に記載の照明装置付き容器において、
前記容器本体の底部は下方へ膨出するように湾曲形成されており、
前記載置台の上面には、前記容器本体の底部が嵌まる凹面が形成されていることを特徴とする照明装置付き容器。
【請求項８】
請求項１に記載の照明装置付き容器において、
前記容器本体は、正面側及び底部が透明な材料からなり、
前記容器本体の上部には、当該容器本体の上部から張り出すように形成された前記光透過抑制部材が設けられていることを特徴とする照明装置付き容器。
【請求項９】
請求項８に記載の照明装置付き容器において、
前記容器本体には、当該容器本体を吊り下げるための吊り下げ部材が設けられていることを特徴とする照明装置付き容器。
【考案の詳細な説明】
【技術分野】
【０００１】
本考案は、照明装置付き容器に関する。
【背景技術】
【０００２】
従来より、例えばドライフラワーが収容される容器としては、特許文献１に開示されているドライフラワー鑑賞用容器や、特許文献２に開示されている額構造物等が知られている。
【０００３】
特許文献１のドライフラワー鑑賞用容器は、合成樹脂製板材により構成された箱状のケース本体にドライフラワーを収容することが可能になっており、ケース本体の正面板を透明な板材とし、ケース本体の背面板を不透明な板材としている。さらに、ケース本体の正面側には木製の額縁が取り付けられている。
【０００４】
特許文献２の額構造物は、ドライフラワーが収容される木製や金属製の容器の上面側に額状の枠材を介してガラス板が載置され、ガラス板と容器とが固定されることによって構成されている。
【先行技術文献】
【特許文献】
【０００５】
【特許文献１】特開２００１−３３４７９７号公報
【特許文献２】特開２００１−９７８０１号公報
【考案の概要】
【考案が解決しようとする課題】
【０００６】
ところで、特許文献１のドライフラワー鑑賞用容器の場合、ケース本体を構成している背面板、天板、底板及び両側板が藍色に着色されているので、周囲の光が背面板、天板、底板及び両側板を通過し難くなっている。ケース本体内に収容されているドライフラワーは、観察者から見て上下及び左右に広がっているだけでなく、奥行き方向にも広がる立体的な物であることから、周囲の光が背面板、天板、底板及び両側板を通過し難いと、正面からの光だけでドライフラワーが照明されることになり、ドライフラワーの奥の方が暗くなってしまう。その結果、ドライフラワーを立体的に収容しているにも関わらず、その立体的な形状が把握しづらくなる。
【０００７】
また、特許文献２の額構造物も、ガラス板以外の容器部分が木製や金属製であることから、周囲の光が容器の側壁や底壁から容器内に入り難く、その結果、正面側からの光だけでドライフラワーが照明されることになり、ドライフラワーの立体的な形状が把握しづらくなる。
【０００８】
ここで、例えば、ドライフラワーを収容する容器の全体を透明な材料で構成すれば、周囲の光がドライフラワーに届きやすくなる。しかしながら、周囲の光のみでは、ドライフラワーをその細部まで照明することが困難な場合がある。そこで、全体が透明な容器の上方に照明装置を設けてドライフラワーを上方から照明することが考えられるが、容器の全体が透明であるということは底部も透明であり、照明装置の光が底部を通して容器の外部に漏れて容器の外部も同様に照明されることになり、その結果、ドライフラワーを立体的にかつ周囲の物から際立たせるような照明ができなくなる。また、照明装置の光が容器の上部からも漏れて容器の上方が照明されることになり、この場合も同様にドライフラワーを立体的にかつ周囲の物から際立たせるような照明ができなくなる。
【０００９】
以上のことは、ドライフラワーだけでなく、造花やプリザーブドフラワーのはじめ各種立体形状の装飾物を収容する容器においても同様である。
【００１０】
本考案は、かかる点に鑑みてなされたものであり、その目的とするところは、容器に収容されている装飾物を立体的にかつ周囲の物から際立たせて照明できるようにすることにある。
【課題を解決するための手段】
【００１１】
上記目的を達成するために、本考案では、収容されている装飾物を上方から照明する照明装置を設け、容器の上部または底部には光の透過を抑制する部材を設けて照明装置の光が容器の上方や下方へ漏れにくくした。
【００１２】
第１の考案は、立体形状の装飾物が収容される容器本体と、該容器本体の上部に設けられ、前記装飾物を上方から照明する照明装置とを備え、前記容器本体の正面側が透明であり、前記容器本体の上部または底部には光の透過を抑制する光透過抑制部材が設けられていることを特徴とする。
【００１３】
この構成によれば、装飾物が照明装置により上方から照明されるので、容器本体の正面側から装飾物を見たときに上下及び左右方向だけでなく、奥行き方向の広がりも感じられて装飾物が立体的に見える。容器本体の上部に光透過抑制部材が設けられている場合には、照明装置の光が上方へ漏れにくくなり、容器外の上方周辺が照明装置によって照明されにくくなる。また、容器本体の底部に光透過抑制部材が設けられている場合には、照明装置の光が下方へ漏れにくくなり、容器外の下方周辺（底部周辺）が照明装置によって照明されにくくなる。これにより、装飾物が周囲の物から際立つようになる。装飾物は、例えば、ドライフラワー、プリザーブドフラワー、造花等を挙げることができる。光透過抑制部材は、光を全く透過させない部材であってもよいし、容器本体の透明な部分に比べて光の透過を抑制するように構成された部材であってもよい。
【００１４】
第２の考案は、前記容器本体は、底板を備え、前記底板は、木製の光透過抑制部材からなることを特徴とする。
【００１５】
この構成によれば、容器本体の底板が木製の光透過抑制部材で構成されるので、照明装置の光が容器本体の底部全体を通過しなくなり、装飾物が容器本体の内部でより一層際立つようになる。
【００１６】
第３の考案は、前記容器本体は、前記底板の両側部から上方へ延びる両側板と、前記底板の背面部から上方へ延びる背板と、前記容器本体の上部に配設される天板と、前記容器本体の正面側に配置される透明な板材とを備え、前記両側板、前記背板及び前記天板は、木製の光透過抑制部材からなることを特徴とする。
【００１７】
この構成によれば、照明装置の光が容器本体の底板だけでなく、両側板、背板及び天板を通過しなくなるので、装飾物が容器本体の内部でより一層際立つようになる。
【００１８】
第４の考案は、前記天板には、前記照明装置が取り付けられていることを特徴とする。
【００１９】
この構成によれば、天板を利用して照明装置を取り付けることができるので、構造を簡素化することができる。
【００２０】
第５の考案は、前記透明な板材は、枠部材により保持され、前記容器本体は、前記枠部材を一方の前記側板に対して回動自在に支持するヒンジを備えていることを特徴とする。
【００２１】
この構成によれば、透明な板材をヒンジの軸周りに回動させることで容器本体を開閉でき、装飾物の出し入れを容易に行うことができる。透明な板材は、無色透明であってもよいし、有色であってもよい。
【００２２】
第６の考案は、前記容器は、前記容器本体が載置される載置台を備え、前記容器本体は、正面側及び底部が透明な材料からなり、前記光透過抑制部材は、前記載置台であることを特徴とする。
【００２３】
この構成によれば、容器本体が透明な材料からなる場合に、その容器本体を載置台に載置することで、照明装置の光が底部を通過しなくなり、容器の底部周辺が照明装置によって照明されにくくなる。尚、容器本体は、全体が透明な材料からなるものであってもよい。容器本体は無色透明であってもよいし、有色であってもよい。
【００２４】
第７の考案は、前記容器本体の底部は下方へ膨出するように湾曲形成されており、前記載置台の上面には、前記容器本体の底部が嵌まる凹面が形成されていることを特徴とする。
【００２５】
この構成によれば、容器本体の底部が下方へ湾曲している場合に、載置台の凹面に容器本体の底部を嵌めることで、容器本体を安定した状態で載置できる。
【００２６】
第８の考案は、前記容器本体は、正面側及び底部が透明な材料からなり、前記容器本体の上部には、当該容器本体の上部から張り出すように形成された前記光透過抑制部材が設けられていることを特徴とする。
【００２７】
この構成によれば、照明装置の光が光透過抑制部材によって容器本体の上方へ漏れにくくなり、容器外の上方周辺が照明装置によって照明されにくくなる。これにより、装飾物が周囲の物から際立つようになる。
【００２８】
第９の考案は、前記容器本体には、当該容器本体を吊り下げるための吊り下げ部材が設けられていることを特徴とする。
【００２９】
この構成によれば、容器本体を吊り下げた状態で使用することができ、例えば容器本体の下方から装飾物を見ることができる。
【考案の効果】
【００３０】
本考案によれば、装飾物を上方から照明する照明装置を設ける一方、容器の上部または底部に光透過抑制部材を設けたので、容器に収容されている装飾物を立体的にかつ周囲の物から際立たせるように照明することができる。
【図面の簡単な説明】
【００３１】
【図１】本考案の実施形態１に係る照明装置付き容器の正面図である。
【図２】本考案の実施形態１に係る照明装置付き容器の斜視図である。
【図３】本考案の実施形態２に係る照明装置付き容器の正面図である。
【図４】本考案の実施形態２に係る照明装置付き容器の分解斜視図である。
【図５】本考案の実施形態３に係る照明装置付き容器の正面図である。
【考案を実施するための形態】
【００３２】
以下、本考案の実施形態を図面に基づいて詳細に説明する。尚、以下の好ましい実施形態の説明は、本質的に例示に過ぎず、本考案、その適用物或いはその用途を制限することを意図するものではない。
【００３３】
（実施形態１）
図１は、本考案の実施形態１に係る照明装置付き容器１の正面図である。照明装置付き容器１は、立体形状の装飾物１００が収容される容器本体１０と、照明装置２０とを備えている。容器本体１０に収容される装飾物１００は、例えば、ドライフラワー、プリザーブドフラワー、造花等を挙げることができるが、これらに限られるものではなく、立体形状を有する物を装飾物とすることができる。ドライフラワー、プリザーブドフラワー、造花の場合は、容器本体１０に１本のみ収容してもよいし、複数本まとめて花束のようにして収容してもよい。また、ドライフラワー、プリザーブドフラワー、造花の中から任意の２種以上を組み合わせて１つの装飾物１００とすることもできる。また、容器本体１０には、複数種の装飾物１００を収容するようにしてもよい。
【００３４】
この実施形態の説明では、照明装置付き容器１を観察者が正面から見たときに右に位置する側を右側といい、左に位置する側を左側といい、観察者の手前に位置する側を手前側といい、奥側に位置する側を奥側というものとするが、これは説明の便宜を図るために定義するものであり、実際の使用状態を限定するものではない。
【００３５】
（容器本体１０の構成）
容器本体１０の底部には、光透過抑制部材としての木製の底板１１が設けられている。木製の場合、光を透過させない光不透過部材となる。底板１１は、左右方向に長い長方形の平板で構成することができるが、正方形であってもよいし、円形であってもよい。容器本体１０は、底板１１の他、左側板１２と、右側板１３と、天板１４と、背板１５とを備えており、これら底板１１、左側板１２、右側板１３、天板１４及び背板１５によって矩形の箱形が構成されている。容器本体１０の縦横比は図示したものに限られず、例えば横長の容器本体１０や縦方向の寸法と横方向の寸法とが略等しい容器本体１０であってもよい。容器本体１０の奥行きも収容する物に応じて任意に設定することができる。
【００３６】
左側板１２、右側板１３、天板１４及び背板１５も木製であり、底板１１と同様に光透過抑制部材である。底板１１、左側板１２、右側板１３、天板１４及び背板１５は、天然木の板材で構成することができるが、これに限らず、例えば、木目が印刷された印刷層を有する合板（プリント合板）や、木材を板面に沿って削いで薄板にしたものを表面に貼って仕上げた化粧板（突板）等で構成してもよい。また、底板１１、左側板１２、右側板１３、天板１４及び背板１５を全て同じ素材で構成しなくてもよく、一部を天然木、他をプリント合板や突板等で構成してもよい。底板１１、左側板１２、右側板１３、天板１４及び背板１５が有する木目を容器本体１０のデザインの一部とすることができ、それらの表面にオイルやワックスを塗布して仕上げることや、いわゆるアンティーク調に仕上げることもできる。底板１１、左側板１２、右側板１３、天板１４及び背板１５を着色してもよい。
【００３７】
左側板１２は、底板１１の左側部から上方へ延びている。また、右側板１３は、底板１１の右側部から上方へ延びている。左側板１２の下端部は、底板１１の左縁部よりも若干右寄りの部位に固定されており、また、右側板１３の下端部は、底板１１の右縁部よりも若干左寄りの部位に固定されている。底板１１の前縁部は、左側板１２及び右側板１３の前縁部よりも前方に位置している。
【００３８】
左側板１２の左側面（外面）には、プレート１２ａを設けることができる。プレート１２ａには、例えば名前や年月日等を記入することができる。すなわち、装飾物１００が結婚式や結婚披露宴で使用された生花から作製されたドライフラワーの場合、結婚式を挙げた年月日、結婚披露宴を行った年月日、結婚した者の名前等をプレート１２ａに記入することができる。その他、記念行事で使用された生花から作製されたドライフラワーを装飾物１００とする場合には、その記念行事が行われた年月日、行事の名称等をプレート１２ａに記入することができる。図示しないが、右側板１３、底板１１、天板１４、背板１５等に同様なプレートを設けてもよい。
【００３９】
左側板１２と右側板１３とは図示するように互いに平行に配置することができるが、これに限らず、図示しないが上側へ行くほど互いに近づくように配置してもよいし、下側へ行くほど互いに近づくように配置してもよい。左側板１２の幅と右側板１３の幅とは等しくなるように設定されているが、これに限らず、上側へ行くほど狭くなるように形成してもよいし、下側へ行くほど狭くなるように形成してもよい。
【００４０】
天板１４は、容器本体１０の上部に配置されるものであり、上記底板１１と同様な部材で構成することができる。天板１４は、左側板１２の上縁部と右側板１３の上縁部とを繋ぐように左右方向に延びている。左側板１２の上縁部は、天板１４の左縁部よりも若干右寄りの部位に固定されており、また、右側板１３の上縁部は、天板１４の右縁部よりも若干左寄りの部位に固定されている。天板１４の前縁部は、左側板１２及び右側板１３の前縁部よりも前方に位置している。天板１４と底板１１とは、互いに平行に配置することができるが、これに限らず、天板１４が右下がりに傾斜するように配置してもよいし、左下がりに傾斜するように配置してもよいし、前下がりに傾斜するように配置してもよいし、後下がりに傾斜するように配置してもよい。天板１４の配置に合わせて左側板１２や右側板１３、背板１５の形状を変更すればよい。
【００４１】
背板１５は、底板１１の背面部から上方へ延びるとともに、左側板１２の後縁部と右側板１３の後縁部とを繋ぐように左右方向にも延びている。背板１５の下縁部は、底板１１の上面に達しており、また、背板１５の上縁部は、天板１４の下面に達している。背板１５は、左側板１２、右側板１３、底板１１及び天板１４に固定することができる。
【００４２】
容器本体１０は、扉１６を備えている。扉１６は、容器本体１０の正面側に設けられており、透明な板材としてのガラス板１６ａと、ガラス板１６ａを保持する枠部材１６ｂと、ヒンジ１６ｃ、１６ｃとを備えている。ガラス板１６ａは矩形状とされており、ガラス板１６ａの上縁部は天板１４の下面近傍に位置し、ガラス板１６ａの下縁部は底板１１の上面近傍に位置し、ガラス板１６ａの左縁部は左側板１２の右側面近傍に位置し、ガラス板１６ａの右縁部は右側板１３の左面近傍に位置している。ガラス板１６ａは、無色透明であるが、これに限らず、所定の色に着色されていてもよく、少なくとも装飾物１００を外部から目視できる程度の透明度を有していればよい。また、ガラス板１６ａの代わりに、例えばアクリル樹脂やポリカーボネート等からなる樹脂製の透明な板材を用いてもよい。ガラス板１６ａを設けることで容器本体１０の正面側が透明になるので、装飾物１００を正面側から見ることが可能になる。尚、ガラス板１６ａは円形や楕円形に形成されたものであってもよい。
【００４３】
枠部材１６ｂは、ガラス板１６ａの周縁部を全周に亘って覆うように矩形状に形成されており、例えば、天板１４を構成する材料と同様な材料で構成することができる。枠部材１６ｂの上部は、天板１４の下面に沿うように左右方向に延びており、この枠部材１６ｂの上部と天板１４の下面との間には扉１６の開閉を阻害しないように若干の隙間が設けられている。また、枠部材１６ｂの下部は、底板１１の上面に沿うように左右方向に延びており、この枠部材１６ｂの下部と底板１１の上面との間にも扉１６の開閉を阻害しないように若干の隙間が設けられている。また、枠部材１６ｂの左側部は、左側板１２の前縁部に沿うように上下方向に延びている。さらに、枠部材１６ｂの右側部は、右側板１３の前縁部に沿うように上下方向に延びている。枠部材１６ｂの形状は矩形に限られるものではなく、例えば円形や楕円形にしてもよい。
【００４４】
上記ヒンジ１６ｃは、枠部材１６ｂの右側部と右側板１３とを連結するように取り付けられている。ヒンジ１６ｃは２つ設けることができ、それぞれ、扉１６を、上下方向に延びる軸周りに右側板１３に対して回動自在に支持する部材である。ヒンジ１６ｃを２つ以上設ける場合には、上下方向に互いに間隔をあけて配置することができる。ヒンジ１６ｃは、容器本体１０の外側に設けてもよいし、内側に設けてもよい。また、ヒンジ１６ｃは、左側に設けてもよい。また、図示しないが、ガラス板１６ａを容器本体１０に対して開閉不能に固定しておき、例えば背板１５に扉を設けて装飾物１００の出し入れが行えるようにしてもよい。
【００４５】
容器本体１０の内側には、左右方向に延びる横材１７が設けられている。横材１７は、左側板１２から右側板１３まで延びるとともに、左側板１２及び右側板１３を連結する部材である。横材１７は複数設けてもよい。また、横材１７は省略してもよい。横材１７は、容器本体１０の上下方向中間部に設けることができ、上寄りの部位であっても、下寄りの部位であってもよい。
【００４６】
容器本体１０の左側には、ロック具１８が設けられている。ロック具１８は、閉状態にある扉１６が開かないように保持するためのものであり、この実施形態では、図２に示すように、枠部材１６の左側部に固定される固定板１８ａと、固定板１８ａに対して上下方向に回動可能に取り付けられた回動片１８ｂと、左側板１２に固定された係合板１８ｃとで構成されている。扉１６を閉状態にして回動片１８ｂを回動させて係合板１８ｃに係合させることで、回動片１８ｂと係合板１８ｃとが係合して閉状態にある扉１６が開かないように保持される。一方、係合状態にある回動片１８ｂを上方へ回動させることで回動片１８ｂが係合板１８ｃから離脱し、扉１６を開くことが可能になる。ロック具１８の構成は、上述したものに限られず、閉状態にある扉１６が開かないように保持可能なものであればよく、このようなロック具は従来から周知である。
【００４７】
（照明装置２０の構成）
照明装置２０は、容器本体１０の天板１４に取り付けられ、容器本体１０に収容された装飾物１００を上方から照明する装置である。具体的には、照明装置２０は、ソケット部２１と、ソケット部２１に取り付けられる電球２２と、電球２２に電力を供給するためのコード２３とを備えている。照明装置２０は、電球２２が下に向く姿勢とされて天板１４に取り付けられるようになっている。天板１４の左右方向中央部には、天板１４を上下方向に貫通する貫通孔１４ａ（図１に破線で示す）が形成されており、この貫通孔１４ａにソケット部２１の下側が挿通されてソケット部２１の下端部は容器本体１０内に臨むように配置される。図２に示すように、ソケット部２１には、天板１４の貫通孔１４ａの周縁部に対して上方から係合する係合部２１ａが設けられており、この係合部２１ａを天板１４に係合させることで、照明装置２０が天板１４に取り付けられた状態になる。係合部２１ａは、天板１４に固定することもできる。尚、図示しないが、照明装置２０を容器本体２０に取り付けるためのブラケットを設けてもよい。
【００４８】
ソケット部２１に電球２２を取り付けることで電球２２が装飾物１００に向かうように配置される。これにより、電球２２から放射される光が装飾物１００に対して上方から照射されることになる。電球２２と装飾物１００とは上下方向に所定の間隔をあけるのが好ましい。これにより、電球２２から放射される光を装飾物１００の広い範囲に照射することができる。
【００４９】
電球２２は、発光ダイオード（ＬＥＤ）が組み込まれた電球であってもよいし、例えば、白熱電球、ハロゲン電球等であってもよい。白熱電球とする場合、クリプトン球であってもよい。電球２２は、いわゆる電球色の光を照射するものが好ましいが、白色光を照射するものであってもよい。図示しないが、照明装置２０に複数の電球２２を設けてもよいし、複数の照明装置２０を１つの容器本体１０に設けてもよい。
【００５０】
コード２３の先端部には差込プラグ（図示せず）が設けられている。この差込プラグをコンセント等に差し込むことで電球２２に電力が供給されるようになっている。コード２３の途中に電球２２をＯＮ／ＯＦＦ操作するスイッチ（図示せず）を設けてもよい。また、電球２２の明るさを調整する調整器（図示せず）を設けてもよい。
【００５１】
（照明装置付き容器１の使用要領）
照明装置付き容器１の容器本体１０に装飾物１００を収容する際には、まず、ロック具１８のロックを解除してから扉１６を図２に二点鎖線で示すように開状態にする。その後、装飾物１００を容器本体１０に収容する。このとき、図１に示すように、ドライフラワーを装飾物１００とする際、底板１１にドライフラワーを個別に置くこともできるし、ドライフラワーを花束にして底板１１に置くこともできる。ドライフラワーと、他の装飾物とを組み合わせて容器本体１０に収容することもできる。プリザーブドフラワーや造花の場合も同様である。
【００５２】
装飾物１００を容器本体１０に収容した後、扉１６を閉じてロック具１８をロック状態にする。また、照明装置２０の電球２２に電力を供給する。すると、容器本体１０に収容された装飾物１００が照明装置２０により上方から照明される。上方からの光は、一部が最上部に位置する花びら等で遮られてその下に影ができ、さらにその下に位置する別の花びら等で遮られてその下に影ができ、このようにして光が当たった部分と影とが複雑に混ざり合った状態になり、自然な立体感が得られる。また、容器本体１０の正面側はガラス板１６ａで構成されているので、容器本体１０の外部の光がガラス板１６ａを通過して装飾物１００に届き、この外部からの光によっても自然な立体感が得られる。
【００５３】
したがって、観察者が容器本体１０の正面側からガラス板１６ａを通して装飾物１００を見たときに上下及び左右方向だけでなく、奥行き方向の広がりも感じられて装飾物１００が立体的に見える。このとき、容器本体１０の底板１１が光を通さない部材でできているので、照明装置２０から放射された光が容器本体１０の底板１１を通過しなくなり、容器本体１０外の底板１１周辺が照明装置２０によって照明されにくくなる。これにより、装飾物１００が周囲の物から際立つようになる。
【００５４】
（実施形態の作用効果）
以上説明したように、この実施形態１によれば、装飾物１００を上方から照明する照明装置２０を容器本体１０に設け、容器本体１０の底板１１を光不透過部材で構成したので、容器本体１０に収容されている装飾物１００を立体的にかつ周囲の物から際立たせるように照明することができる。また、天板１４も光不透過部材で構成したので、照明装置２０の光が上方へも漏れにくくなる。
【００５５】
また、照明装置２０の光が容器本体１０の底板１１だけでなく、両側板１２、１３、背板１５及び天板１４も通過しなくなるので、装飾物１００が容器本体１０の内部でより一層際立つようになる。
【００５６】
（実施形態２）
図３及び図４は、本考案の実施形態２に係る照明装置付き容器１を示すものである。実施形態２は、実施形態１のものに対して、容器本体の全体が透明な材料からなる点、載置台を備えている点とで異なっており、他の部分は実施形態１と同じであるため、以下、実施形態１と同じ部分には同じ符号を付して説明を省略し、異なる部分について詳細に説明する。
【００５７】
実施形態２の容器本体３０は、その全体がガラスからなるものである。このガラスは、無色透明であるが、装飾物１００を見ることができるように薄く着色されていてもよい。これにより、容器本体３０は、少なくとも正面側及び底部が透明な材料で構成されることになる。容器本体３０の背面側は光を透過させない色に着色されていてもよい。
【００５８】
図４にも示すように、容器本体３０の底部３０ａは下方へ膨出するように湾曲形成されていて、半球体に近い形状となっているので、容器本体３０のみで自立させることは困難である。このため、実施形態２の照明装置付き容器１は、容器本体３０が載置される載置台４０を備えている。載置台４０は、円形の板状に形成された木製のものであり、光透過抑制部材である。載置台４０の上面には、容器本体３０の底部３０ａが嵌まる凹面４０ａが形成されている。凹面４０ａは、容器本体３０の底部３０ａの外形状に沿うように形成されており、容器本体３０の底部３０ａが凹面４０ａに嵌まった状態で容器本体３０を安定した状態で自立させることができるように、凹面４０ａの深さ等が設定されている。また、載置台４０の外周面には、実施形態１のプレート１２ａと同様なプレート４１が設けられている。載置台４０は、矩形の板状であってもよいし、長方形の板状であってもよい。また、載置台４０は、木製以外であってもよく、例えば樹脂製や金属製であってもよい。
【００５９】
容器本体３０の水平方向の断面は略円形である。容器本体３０の水平方向の断面積は、上側へ行くほど小さくなっている。容器本体３０の上端部には、開口部３０ｂが形成されており、この開口部３０ｂを介して装飾物１００を容器本体３０に入れたり、容器本体３０から出すことができる。
【００６０】
容器本体３０の上端部には、開口部３０ｂを開閉するための蓋３１が設けられている。蓋３１は、開口部３０ｂよりも大きな円板状に形成されている。照明装置２０は、蓋３１と一体化されており、照明装置２０と共に容器本体３０に対して着脱可能に構成されている。
【００６１】
この実施形態２の場合も、照明装置２０を容器本体３０の上部に設けたので、装飾物１００を上方から照明することができる。このとき、容器本体３０の底部３０ａが透明であるので、電球２２から放射された光の一部が容器本体３０の底部３０ａを通過することがあるが、容器本体３０は光を通過させない載置台４０に載置されているので、照明装置付き容器１外の底部周辺が照明装置２０によって照明されにくくなる。これにより、容器本体３０に収容されている装飾物１００を立体的にかつ周囲の物から際立たせるように照明することができる。
【００６２】
実施形態２において、容器本体３０の上部にフードやシェードのような光透過抑制部材を設けてよい。また、実施形態２において、容器本体３０の底部を平らにする等して容器本体３０を自立可能に構成してもよく、この場合、載置台４０を省略し、容器本体３０の上部に光透過抑制部材を設けることができる。
【００６３】
（実施形態３）
図５は、本考案の実施形態３に係る照明装置付き容器１を示すものである。実施形態３は、実施形態１のものに対して、容器本体の全体が透明な材料からなる点、吊り下げ可能に構成されている点とで異なっており、他の部分は実施形態１と同じであるため、以下、実施形態１と同じ部分には同じ符号を付して説明を省略し、異なる部分について詳細に説明する。
【００６４】
実施形態３の容器本体３０及び照明装置２０は、実施形態２のものと同様に構成することができる。
【００６５】
蓋３１は、容器本体３０に対して取り外し可能に固定されている。容器本体３０の上部には、フード５０が水平方向に張り出すように設けられている。フード５０は、容器本体３０を構成しているガラスよりも光が透過し難い材料、例えば布、樹脂材、色つきガラス、不透明なガラス等、またはこれらの組み合わせによって構成されており、本考案の光透過抑制部材に相当する。フード５０は、光を完全に遮断する素材で構成されていてもよい。フード５０の代わりに、例えば、シェードや各種覆い部材等を設けてもよい。フード５０を設けることで、照明装置２０の光が上方へ漏れにくくなり、容器本体３０外の上方周辺が照明装置２０によって照明されにくくなる。
【００６６】
容器本体３０には、吊り下げ用の線材（吊り下げ部材）５１の下端部が蓋３１を介して固定されている。線材５１は容器本体３０に直接固定されていてもよい。線材５１は、例えば紐、ロープ、針金等で構成することができる他、線材５１の代わりにチェーン等を吊り下げ部材として用いることもできる。線材５１の長さは調整することができる。
【００６７】
線材５１は、その上端部にフック５２を有している。このフック５２を例えば部屋の一部等に引っ掛けることによって照明装置付き容器１を吊り下げて使用することができる。フック５２の形状は特に限定されるものではなく、リング状の部材であってもよいし、鉤形状の部材であってもよい。フック５２の代わりに、住戸の天井に設けられている引っ掛けシーリングに取付可能な部材を連結することができる。また、吊り下げ部材の上端部を部屋の天井、壁、柱、梁等に直接固定してもよいし、いわゆる突っ張り棒のような部材に引っ掛けるようにしてもよい。
【００６８】
この実施形態３の場合、照明装置２０の光が上方へ漏れにくくなるので、照明装置付き容器１外の上方周辺が照明装置２０によって照明されにくくなる。これにより、容器本体３０に収容されている装飾物１００を立体的にかつ周囲の物から際立たせるように照明することができる。また、装飾物１００を下方から見ることができる。さらに、照明装置付き容器１を照明器具として使用することもできる。
【００６９】
上述の実施形態１、２はあらゆる点で単なる例示に過ぎず、限定的に解釈してはならない。さらに、特許請求の範囲の均等範囲に属する変形や変更は、全て本考案の範囲内のものである。
【００７０】
実施形態１の容器本体１０は、一体成形された容器で構成されていてもよく、例えば、樹脂材による一体成形品であってもよい。
【００７１】
実施形態２、３の容器本体３０の形状は、例えば球状、円錐状、角錐状、円筒状、角筒状であってもよい。
【産業上の利用可能性】
【００７２】
以上説明したように、本考案に係る照明装置付き容器は、例えばドライフラワー、プリザーブドフラワー、造花等を収容して鑑賞する際に利用することができる。
【符号の説明】
【００７３】
１              照明装置付き容器
１０            容器本体
１１            底板（光透過抑制部材）
１２            左側板
１３            右側板
１４            天板
１５            背板
２０            照明装置
３０            容器本体
４０            載置台（光透過抑制部材）
１００          装飾物
【図１】
0003222671.tif 000003
【図２】
0003222671.tif 000004
【図３】
0003222671.tif 000005
【図４】
0003222671.tif 000006
【図５】
0003222671.tif 000007